(57)【要約】【課題】インターロックされた引出形遮断器を引出ハンドルを用いて無理に引き出すと、多くの部品が破損する。【解決手段】第１ハンドル５ａと第２ハンドル５ｂとをボルト１５を介して回動自在に結合して引出ハンドル５を構成し、第２ハンドル５ｂに対する第１ハンドル５ａの回動を拘束する第１拘束ピン１８ａ、第２拘束ピン１９ａを設け、引出形遮断器がインターロックされた状態で、引出ハンドル５を破線矢印で示す反時計方向へ回動させて無理に引き出そうとすると、第１拘束ピン１８ａのみが破壊されるようにする。【選択図】  図１
2004254430.tif 000002
【特許請求の範囲】
【請求項１】
引出形遮断器に設けられた支持板に引出ハンドルを係合させ、引出ハンドルの下端と床面との接点を支点として引出ハンドルの上部に力を加え、引出ハンドルにより引出形遮断器の接続・断路を行なうようにした引出形遮断器において、
前記引出ハンドルに所定の大きさを超える荷重が加わった場合には局部的に破壊する破壊部を設けたことを特徴とする引出形遮断器。
【請求項２】
前記引出ハンドルを第１ハンドルと第２ハンドルとを相対的に回動自在に結合して構成し、第１ハンドルと第２ハンドルとのうちの一方に対する他方の回動を拘束する拘束部材を設け、当該拘束部材を前記破壊部としたことを特徴とする請求項１に記載の引出形遮断器。
【請求項３】
前記破壊部が破壊したときに、前記第１ハンドルと前記第２ハンドルとの相対的な回動が急激に生じるのを緩和するための緩和バネを設けたことを特徴とする請求項２に記載の引出形遮断器。
【発明の詳細な説明】
【０００１】
【発明の属する技術分野】
本発明は、引出形遮断器に関し、引出ハンドルを改良したものである。
【０００２】
【従来の技術】
遮断器には、配電盤等の内部から外部へ引き出して広い場所で遮断器を保守・点検できるようにした引出形遮断器がある。
【０００３】
従来の引出形遮断器の構造を図３に示す。配電盤等の内部には、引出形遮断器１が収容されている。引出形遮断器１の内部にユニット２が設けられ、ユニット２には導体３ａと導体３ｂとが夫々水平方向へ三相分ずつ並べて設けられている。導体３ａは図示しない電源母線に接続され、導体３ｂは図示しない負荷母線に接続されている。一方、引出形遮断器１の遮断部８には、外部導体４ａと外部導体４ｂとが夫々水平方向へ三相分ずつ並べて設けられ、引出形遮断器１を移動させることにより、導体３ａ・導体３ｂに対して外部導体４ａ・外部導体４ｂを接続させたり断路させたりできるようになっている。導体３ａ・外部導体４ａおよび導体３ｂ・外部導体４ｂには、これらを囲繞する複数の接触子１４が設けられ、これらの接触子１４は結束バネ１５によって束ねられた状態で導体３ａ・導体３ｂに装着されている。
【０００４】
引出形遮断器１には、遮断部８と操作部９とが設けられている。操作部９には、遮断部８の投入を行なう投入釦１０ａと、遮断を行なう遮断釦１０ｂとが設けられている。そして、接続位置Ｑを占めている状態であって、引出形遮断器１を移動し得る「安全状態」のとき以外は引出形遮断器１が移動できないように、床面１３に形成された図示しないロック穴にインターロックピン１０を挿入して引出形遮断器１をロックするインターロック機構が設けられ、インターロックピン１０を上下動させるインターロックレバー１１が上下動可能に設けられている。なお、１２は取手である。
【０００５】
引出形遮断器１は、断路位置Ｐと接続位置Ｑとを占めることができ、ＰＱ間で引出形遮断器１を移動させる際には、導体３ａ・導体３ｂに対して外部導体４ａ・外部導体４ｂを接続したり断路したりすることになるため、接続位置Ｑの近傍では、接触子１４と外部導体４ａ・外部導体４ｂとの摩擦力に打ち勝つだけの大きな力が必要になる。このため、てこの原理で大きな力を引き出す引出ハンドル５が設けられている。即ち、以下のようになっている。引出形遮断器１の前面の下部中央に挿通孔６ａを有する支持板６が取り付けられると共に、床面１３には位置決め穴を有する位置決め板７が固定され、引出ハンドル５の下部を挿通孔６ａに挿通すると共に先端を位置決め穴に挿入した状態で、引出ハンドル５を実線矢印で示す時計方向へ回動させると引出形遮断器１が接続位置Ｑの直前から接続位置Ｑまで移動して接続状態となる。一方、引出ハンドル５を破線矢印で示す反時計方向へ回動させると、引出形遮断器１が接続位置Ｑから少し移動して断路状態となり、その後は取手１２を持って、引出形遮断器１を断路位置Ｐまで移動することができる。
【０００６】
このように、接続位置の近傍での引出形遮断器の移動を、引出ハンドルにより行なう引出形遮断器としては以下のものがある（例えば、特許文献１参照。）。
【０００７】
【特許文献１】
特開２００１−２９２５１１号公報（図１・図３・図５）
【０００８】
【発明が解決しようとする課題】
ところが、インターロックピンがインターロック穴に挿入されたインターロック状態でも引出ハンドルを操作することができ、インターロック状態で無理に引出ハンドルを操作した場合は、インターロックピンあるいはその周辺を破損する虞がある。
【０００９】
そこで本発明は、斯かる課題を解決した引出形遮断器を提供することを目的とする。
【００１０】
【課題を解決するための手段】
斯かる目的を達成するための請求項１に係る引出形遮断器の構成は、引出形遮断器に設けられた支持板に引出ハンドルを係合させ、引出ハンドルの下端と床面との接点を支点として引出ハンドルの上部に力を加え、引出ハンドルにより引出形遮断器の接続・断路を行なうようにした引出形遮断器において、前記引出ハンドルに所定の大きさを超える荷重が加わった場合には局部的に破壊する破壊部を設けたことを特徴とする。
【００１１】
斯かる引出形遮断器では、引出ハンドルに過大な力が加わった場合は、破壊部のみが破壊されることになり、破壊部のみを交換することで元の状態が復元される。
【００１２】
請求項２に係る引出形遮断器の構成は、請求項１において、前記引出ハンドルを第１ハンドルと第２ハンドルとを相対的に回動自在に結合して構成し、第１ハンドルと第２ハンドルとのうちの一方に対する他方の回動を拘束する拘束部材を設け、当該拘束部材を前記破壊部としたことを特徴とする。
【００１３】
斯かる引出形遮断器では、引出ハンドルに過大な力が加わった場合は、拘束部材のみが破壊されることになり、拘束部材のみを交換することで元の状態が復元される
請求項３に係る引出形遮断器の構成は、請求項２において、前記破壊部が破壊したときに、前記第１ハンドルと前記第２ハンドルとの相対的な回動が急激に生じるのを緩和するための緩和バネを設けたことを特徴とする。
【００１４】
斯かる引出形遮断器では、引出ハンドルに過大な力が加わって拘束部材が破壊された場合は、第１ハンドルが急激に回動して怪我をする虞があるが、緩和バネが急激な回動を吸収する。
【００１５】
【発明の実施の形態】
以下、本発明による引出形遮断器の実施の形態を説明する。
【００１６】
（ａ）実施の形態１
まず、実施の形態１を図１に示す。
【００１７】
図のように、引出ハンドル５は第１ハンドル５ａと第２ハンドル５ｂとによって構成されている。第１ハンドル５ａは全長に亘って断面形状は一定であるが、第２ハンドル５ｂは所定の形状の平板にストッパ部２０を立ち上げた形状となっており、両者はボルト１５・ナット１６を介して回動自在に結合されている。第２ハンドル５ｂの下部には、位置決め板７の位置決め穴７ａに入り込む支点部１７が形成されている。
【００１８】
そして、引出形遮断器１に固定された支持板６の孔６ａに第２ハンドル５ｂの下端近傍を挿入した状態で、支点部１７と位置決め板７とが接触する接点を支点として、引出ハンドル５の上端に力を加えて引出ハンドル５を回動させたときに、第１ハンドル５ａに対する第２ハンドル５ｂの回動を拘束する拘束部材であって、かつ所定の大きさを超えるせん断荷重が加わった場合には破壊する第１拘束ピン（破壊部）１８ａ・第２拘束ピン（破壊部）１９ａが設けられている。これらの第１拘束ピン１８ａ・第２拘束ピン１９ａは、先端に第１拘束ピン１８ａ・第２拘束ピン１９ａを形成したボルト１８，１９を第２ハンドル５ｂにねじ込んだものであり、これらの先端部である第１拘束ピン１８ａ・第２拘束ピン１９ａのみが第２ハンドル５ｂから突出している。
【００１９】
引出ハンドル５の上端に、破線矢印で示す反時計方向へ力を加えて、接続位置から引出形遮断器１を少し引き出す際に、第１拘束ピン１８ａが破壊された場合は、第１ハンドル５ａの下端の回動を止めるために、前記のように第２ハンドル５ｂの側面を立ち上げてストッパ部２０が形成されている。このほか、第１拘束ピン１８ａが破壊された場合に、第２ハンドル５ｂに対して第１ハンドル５ａが急激に回動するのを緩和するために、緩和バネ２１が設けられる。緩和バネ２１は、その螺旋状に巻いた部分がボルト１５の円柱形の頭部に装着されると共に、その一端が第２ハンドル５ｂを貫通した状態で第２ハンドル５ｂに掛けられ、他端が第１ハンドル５ａの下端近傍に掛けられている。
【００２０】
斯かる引出形遮断器の作用を説明する。図１において、引出ハンドル５の下部を支持板６の孔６ａに入れた状態で、引出ハンドル５の上部に力を加え、支点部１７の先端を中心として引出ハンドル５を実線矢印で示す時計方向へ回動させると、引出形遮断器１が接続位置の近傍から接続位置へ移動する。逆に、引出ハンドル５を破線矢印で示す反時計方向へ回動させると、引出形遮断器１が接続位置から少し移動し、手押しで引出形遮断器１を断路位置へ移動できる状態となる。
【００２１】
このとき、インターロックピンが降りてインターロックがかかっていたために引出形遮断器１が動かない状態であったとする。すると、所定の大きさ以上の過大な力が第１拘束ピン１８ａに加わり、第１拘束ピン１８ａがせん断されて破壊する。すると、第１ハンドル５ａに加わっていた負荷が急に小さくなるので、第１ハンドル５ａがボルト１５を中心として急激に空回りしようとするが、緩和バネ２１がこの空回りの急激度を緩和する。その後、第１ハンドル５ａの下端がストッパ部２０に当接して第１ハンドル５ａの回動が止まる。したがって、引出形遮断器１の断路を行なう際に第１ハンドル５ａが反時計方向へ急激に回動して作業者が怪我をするという事態が未然に防止される。
【００２２】
第１拘束ピン１８ａが破壊されてしまった場合は、ボルト１８を第２ハンドル５ｂから外し、新しいボルト１８をねじ込めば元の状態が復元される。
【００２３】
（ｂ）実施の形態２
次に、実施の形態２を図２に示す。実施の形態２は実施の形態１の一部を変更しただけなので、異なる部分のみを説明する。
【００２４】
この実施の形態では、実施の形態１に存在した第１拘束ピン１８ａ・ストッパ部２０・緩和バネ２１が設けられていない。そして、第１ハンドル５ａを破線矢印で示す反時計方向へ回動させたときに回動力を第２ハンドル５ｂに伝えるために、以下の構成が用いられている。図２（ｂ）に示すように、第１ハンドル５ａ・第２ハンドル５ｂを囲繞するようにして、略コ字状の断面を有するストッパ金具（拘束部材）２３が設けられている。ストッパ金具２３の両端近傍は、ボルト２４とナット２５とを介して第２ハンドル５ｂに結合されている。そして、第１ハンドル５ａにおける下端とボルト１５との間の部分にはＶ溝２６が形成される一方、ストッパ金具２３には内側へ突出する突起２７が形成され、突起２７がＶ溝２６に嵌合されている。
【００２５】
斯かる引出形遮断器の作用を説明する。図２において、引出ハンドル５の下部を支持板６の孔６ａに入れた状態で、引出ハンドル５の上部に力を加え、支点部１７の先端を中心として引出ハンドル５を実線矢印で示す時計方向へ回動させた場合については、実施の形態１と同じである。逆に、引出ハンドル５を破線矢印で示す反時計方向へ回動させた場合は、引出形遮断器１が接続位置から断路位置へ向かって移動する。
【００２６】
このとき、インターロックピンが降りてインターロックがかかっているために引出形遮断器１が動かない状態にあったとする。すると、所定の大きさ以上の過大な力が第１ハンドル５ａからＶ溝２６・突起２７を介してストッパ金具２３へ伝わり、ストッパ金具２３に撓みが生じることからＶ溝２６から突起２７が外れる。すると、第１ハンドル５ａに加わっていた負荷が急になくなるので、第１ハンドル５ａがボルト１５を中心として急激に空回りし、第１ハンドル５ａの下端はストッパ金具２３に衝突して第１ハンドル５ａの回動が止まる。したがって、引出形遮断器１を引き出す際に第１ハンドル５ａが反時計方向へ急激に回動して作業者が怪我をするという事態が未然に防止される。
【００２７】
ストッパ金具２３が変形してしまった場合は、ボルト２４を緩めて第２ハンドル５ｂから外し、新しいストッパ金具２３を取り付ければ元の状態が復元される。
【００２８】
その他の構成，作用は実施の形態１と同じなので、説明を省略する。
【００２９】
【発明の効果】
以上の説明からわかるように、本発明に係る引出形遮断器によれば、引出ハンドルに所定の大きさを超える荷重が加わった場合には局部的に破壊する破壊部を形成したので、引出形遮断器と引出形遮断器が収容されている機器とがインターロックされている部分の全体が破損するのを未然に防止することができる。また、最少部品である破壊部のみを交換すれば復元できるので、修理のためのコストが安くて済む。
【図面の簡単な説明】
【図１】本発明による引出形遮断器の実施の形態１に係り、（ａ）は要部の構成図、（ｂ）は（ａ）のＡ−Ａ矢視図。
【図２】本発明による引出形遮断器の実施の形態２に係り、（ａ）は要部の構成図、（ｂ）は（ａ）のＢ−Ｂ矢視図。
【図３】従来の引出形遮断器に係り、（ａ）は正面図、（ｂ）は側面図。
【符号の説明】
１…引出形遮断器
５…引出ハンドル
５ａ…第１ハンドル
５ｂ…第２ハンドル
６…支持板
１５…ボルト
１７…支点部
１８ａ…第１拘束ピン
１９ａ…第２拘束ピン
２１…緩和バネ
【図１】
2004254430.tif 000003
【図２】
2004254430.tif 000004
【図３】
2004254430.tif 000005